【手続補正書】
【提出日】平成15年11月17日(2003.11.17)
【手続補正１】
【補正対象書類名】特許請求の範囲
【補正対象項目名】全文
【補正方法】変更
【補正の内容】
【特許請求の範囲】
【請求項１】
符号分割多元接続通信システムにおける共用の周波数スペクトラム経由で送信側から送信され各々が同様のチャネル応答を受けた複数のデータ信号を受信する際に用いる方法であって、
前記送信されたデータ信号の合成信号を前記共用の周波数スペクトラム経由で受信する過程と、
前記送信されたデータ信号のチップ速度の倍数の速度で前記合成信号をサンプリングする過程と、
前記合成信号に対するチャネル応答を前記チップ速度の前記倍数の速度で推算する過程と、
前記合成信号の前記サンプリングの出力値および前記チャネル応答の推算値を用いて拡散データベクトルの第１の要素を算定する過程と、
前記拡散データベクトルの残余の要素を算定するように前記第１の要素の算定からの係数を用いる過程と、
前記拡散データベクトルの前記算定した要素を用いて前記データ信号のデータを推算する過程と
を含む方法。
【請求項２】
前記係数を前記チャネル応答を用いて導き出す請求項１記載の方法。
【請求項３】
前記チップ速度の前記倍数の速度が前記チップ速度のＮ倍の速度であり、前記計数がvHであり、前記チップ速度のＮ倍の速度の各々に対応するチャネル応答マトリクスの各々の第１の要素がh1（０）、h2（０）、・・・ｈＮ（０）、および
2004525539.tif 000001
である請求項１記載の方法。
【請求項４】
Ｎが２であり、
2004525539.tif 000002
である請求項３記載の方法。
【請求項５】
前記拡散データベクトルの前記第１の要素以外のｉ番目の要素ｄ＾（ｉ）が式
2004525539.tif 000003
で算定される請求項３記載の方法。
【請求項６】
前記データの推算を前記拡散データベクトルの逆拡散によって行う請求項１記載の方法。
【請求項７】
前記係数を前記残余の要素の算定の前に蓄積する請求項１記載の方法。
【請求項８】
共用の周波数スペクトラム経由で送信側から送信され各々が同様のチャネル応答を受けた複数のデータ信号を受信する際に用いる符号分割多元接続受信機であって、
前記送信されたデータ信号の合成信号を前記共用の周波数スペクトラム経由で受信する手段と、
前記送信されたデータ信号のチップ速度の倍数の速度で前記合成信号をサンプリングする手段と、
前記合成信号に対するチャネル応答を前記チップ速度の前記倍数の速度で推算する手段と、
前記合成信号の前記サンプリングの出力値および前記チャネル応答の推算値を用いて拡散データベクトルの第１の要素を算定する手段と、
前記拡散データベクトルの残余の要素を算定するように前記第１の要素の算定からの係数を用いる手段と、
前記拡散データベクトルの前記算定した要素を用いて前記データ信号のデータを推算する手段と
を含む符号分割多元接続受信機。
【請求項９】
前記係数を前記チャネル応答を用いて導き出す請求項８記載の受信機。
【請求項１０】
前記チップ速度の前記倍数の速度が前記チップ速度のＮ倍の速度であり、前記計数がvHであり、前記チップ速度のＮ倍の速度の各々に対応するチャネル応答マトリクスの各々の第１の要素がh1（０）、h2（０）、・・・ｈＮ（０）、および
2004525539.tif 000004
である請求項８記載の受信機。
【請求項１１】
Ｎが２であり、
2004525539.tif 000005
である請求項１０記載の受信機。
【請求項１２】
前記データの推算を前記拡散データベクトルの逆拡散によって行う請求項８記載の受信機。
【請求項１３】
前記係数を前記残余の要素の算定の前に蓄積する請求項８記載の受信機。
【請求項１４】
共用の周波数スペクトラム経由で送信側から送信され各々が同様のチャネル応答を受けた複数のデータ信号を受信する際に用いる符号分割多元接続受信機であって、
前記送信されたデータ信号の合成信号を前記共用の周波数スペクトラム経由で受信するアンテナと、
前記送信されたデータ信号のチップ速度の倍数の速度で前記合成信号をサンプリングするサンプリング装置と、
前記合成信号に対するチャネル応答を前記チップ速度の前記倍数の速度で推算するチャネル推算装置と、
前記合成信号の前記サンプリングの出力値および前記チャネル応答の推算値を用いて拡散データベクトルの第１の要素を算定するとともに、前記拡散データベクトルの残余の要素を算定するように前記第１の要素の算定からの係数を用いる単一ユーザ検出装置とを含み、
前記拡散データベクトルから前記データ信号のデータを推算する
符号分割多元接続受信機。
【請求項１５】
前記係数を前記チャネル応答を用いて導き出す請求項１４記載の受信機。
【請求項１６】
前記チップ速度の前記倍数の速度が前記チップ速度のＮ倍の速度であり、前記計数がvHであり、前記チップ速度のＮ倍の速度の各々に対応するチャネル応答マトリクスの各々の第１の要素がh1（０）、h2（０）、・・・ｈＮ（０）、および
2004525539.tif 000006
である請求項１４記載の受信機。
【請求項１７】
Ｎが２であり、
2004525539.tif 000007
である請求項１６記載の受信機。
【請求項１８】
前記データの推算を前記拡散データベクトルの逆拡散によって行う請求項１４記載の受信機。
【請求項１９】
前記係数を前記残余の要素の算定の前に蓄積する請求項１４記載の受信機。
【請求項２０】
符号分割多元接続通信システムにおける共用の周波数スペクトラム経由で送信側から送信され各々が同様のチャネル応答を受けた複数のデータ信号を受信する際に用いる方法であって、
前記送信されたデータ信号の合成信号を前記共用の周波数スペクトラム経由で受信する過程と、
前記合成信号のチップ速度の倍数の速度で前記合成信号をサンプリングする過程と、
前記合成信号に対するチャネル応答を前記チップ速度の前記倍数の速度で推算する過程と、
前記チャネル応答の推算値を用いて相互相関行列を算定する過程と、
前記拡散データベクトルを、前記相互相関行列からの要素を用いて第１の拡散データ推算値を算定することと前記相互相関行列の追加の要素を用いて後続の推算値を再帰的に算定することとによる次数再帰を用いて算定する過程と、
前記拡散データベクトルを用いて前記データ信号のデータを推算する過程と
を含む方法。
【請求項２１】
前記拡散データ推算値を前記拡散データ推算値のスカラ部分およびベクトル部分の合成により算定する請求項２０記載の方法。
【請求項２２】
前記拡散データベクトルの算定をYule-Walker等式を用いて行う請求項２０記載の方法。
【請求項２３】
前記第１の拡散データ推算値を前記相互相関行列の左上端部の要素を用いて算定する請求項２０記載の方法。
【請求項２４】
共用の周波数スペクトラム経由で送信側から送信され各々が同様のチャネル応答を受けた複数のデータ信号を受信する際に用いる符号分割多元接続受信機であって、
前記送信されたデータ信号の合成信号を前記共用の周波数スペクトラム経由で受信する手段と、
前記合成信号のチップ速度の倍数の速度で前記合成信号をサンプリングする手段と、
前記合成信号に対するチャネル応答を前記チップ速度の前記倍数の速度で推算する手段と、
前記チャネル応答の推算値を用いて相互相関行列を算定する手段と、
前記拡散データベクトルを、前記相互相関行列からの要素を用いて第１の拡散データ推算値を算定することと前記相互相関行列の追加の要素を用いて後続の推算値を再帰的に算定することとによる次数再帰を用いて算定する手段と、
前記拡散データベクトルを用いて前記データ信号のデータを推算する手段と
を含む受信機。
【請求項２５】
前記拡散データ推算値を前記拡散データ推算値のスカラ部分およびベクトル部分の合成により算定する請求項２４記載の受信機。
【請求項２６】
前記拡散データベクトルの算定をYule-Walker等式を用いて行う請求項２４記載の受信機。
【請求項２７】
前記第１の拡散データ推算値を前記相互相関行列の左上端部の要素を用いて算定する請求項２４記載の受信機。
【請求項２８】
共用の周波数スペクトラム経由で送信側から送信され各々が同様のチャネル応答を受けた複数のデータ信号を受信する際に用いる符号分割多元接続受信機であって、
前記送信されたデータ信号の合成信号を前記共用の周波数スペクトラム経由で受信するアンテナと、
前記送信されたデータ信号のチップ速度の倍数の速度で前記合成信号をサンプリングするサンプリング装置と、
前記合成信号に対するチャネル応答を前記チップ速度の前記倍数の速度で推算するチャネル推算装置と、
前記チャネル応答の推算値を用いて相互相関行列を算定するとともに、前記相互相関からの要素を用いて第１の拡散データ推算値を算定することと前記相互相関行列の追加の要素を用いて後続の推算値を再帰的に算定することとによる次数再帰を用いて拡散データベクトルを算定する単一ユーザ検出装置とを含み、
前記拡散データベクトルから前記データ信号のデータを推算する
符号分割多元接続受信機。
【請求項２９】
前記拡散データ推算値を前記拡散データ推算値のスカラ部分およびベクトル部分の合成により算定する請求項２８記載の受信機。
【請求項３０】
前記拡散データベクトルの算定をYule-Walker等式を用いて行う請求項２８記載の受信機。
【請求項３１】
前記第１の拡散データ推算値を前記相互相関行列の左上端部の要素を用いて算定する請求項２８記載の受信機。
【請求項３２】
符号分割多元接続通信システムにおける共用の周波数スペクトラム経由で送信側から送信され各々が同様のチャネル応答を受けた複数のデータ信号を受信する際に用いる方法であって、
前記送信されたデータ信号の合成信号を前記共用の周波数スペクトラム経由で受信する過程と、
前記合成信号のチップ速度の倍数の速度で前記合成信号をサンプリングする過程と、
前記合成信号に対するチャネル応答を前記チップ速度の前記倍数の速度で推算する過程と、
前記チャネル応答の推算値を用いてチャネル相関行列の列を算定する過程と、
前記算定した列、前記チャネル応答の推算値、前記受信した合成信号及びフーリエ変換を用いて拡散データベクトルを算定する過程と、
前記拡散データベクトルを用いて前記データ信号のデータを推算する過程と
を含む方法。
【請求項３３】
前記算定した列が前記チャネル相関行列の第１の列である請求項３２記載の方法。
【請求項３４】
前記合成信号のインパルス応答の長さがＷであり、前記算定した列が前記チャネル相関行列の端から少なくともW-１列である請求項３２記載の方法。
【請求項３５】
前記拡散データベクトルの算定が、チャネル応答行列のエルミート関数と前記受信した合成信号との積のフーリエ変換を用いる請求項３２記載の方法。
【請求項３６】
前記拡散データベクトルの算定が、前記算定した列のフーリエ変換を用いる請求項３２記載の方法。
【請求項３７】
前記列のフーリエ変換の算定値に、前記データ信号で伝送される拡散チップの数を乗じた請求項３６記載の方法。
【請求項３８】
前記フーリエ変換が高速フーリエ変換である請求項３２記載の方法。
【請求項３９】
前記拡散データベクトルの算定が高速フーリエ逆変換をさらに用いる請求項３８記載の方法。
【請求項４０】
共用の周波数スペクトラム経由で送信側から送信され各々が同様のチャネル応答を受けた複数のデータ信号を受信する際に用いる符号分割多元接続受信機であって、
前記送信されたデータ信号の合成信号を前記共用の周波数スペクトラム経由で受信する手段と、
前記合成信号のチップ速度の倍数の速度で前記合成信号をサンプリングする手段と、
前記合成信号に対するチャネル応答を前記チップ速度の前記倍数の速度で推算する手段と、
前記チャネル応答の推算値を用いてチャネル相関行列の列を算定する手段と、
前記算定した列、前記チャネル応答の推算値、前記受信した合成信号及びフーリエ変換を用いて拡散データベクトルを算定する手段と、
前記拡散データベクトルを用いて前記データ信号のデータを推算する手段と
を含む受信機。
【請求項４１】
前記算定した列が前記チャネル相関行列の第１の列である請求項４０記載の受信機。
【請求項４２】
前記合成信号のインパルス応答の長さがＷであり、前記算定した列が前記チャネル相関行列の端から少なくともW-１列である請求項４０記載の受信機。
【請求項４３】
前記拡散データベクトルの算定が、チャネル応答行列のエルミート関数と前記受信した合成信号との積のフーリエ変換を用いる請求項４０記載の受信機。
【請求項４４】
前記拡散データベクトルの算定が、前記算定した列のフーリエ変換を用いる請求項４０記載の受信機。
【請求項４５】
前記列のフーリエ変換の算定値に、前記データ信号で伝送される拡散チップの数を乗じた請求項４４記載の受信機。
【請求項４６】
前記フーリエ変換が高速フーリエ変換である請求項４０記載の受信機。
【請求項４７】
前記拡散データベクトルの算定が高速フーリエ逆変換をさらに用いる請求項４０記載の受信機。
【請求項４８】
共用の周波数スペクトラム経由で送信側から送信され各々が同様のチャネル応答を受けた複数のデータ信号を受信する際に用いる符号分割多元接続受信機であって、
前記送信されたデータ信号の合成信号を前記共用の周波数スペクトラム経由で受信するアンテナと、
前記合成信号のチップ速度の倍数の速度で前記合成信号をサンプリングするサンプリング装置と、
前記合成信号に対するチャネル応答を前記チップ速度の前記倍数の速度で推算するチャネル推算装置と、
前記チャネル応答の推算値を用いてチャネル相関行列の列を算定するとともに、前記算定した列、前記チャネル応答の推算値、前記受信した合成信号及びフーリエ変換を用いて拡散データベクトルを算定する単一ユーザ検出装置とを含み、
前記拡散データベクトルから前記データ信号のデータを推算する
受信機。
【請求項４９】
前記算定した列が前記チャネル相関行列の第１の列である請求項４８記載の受信機。
【請求項５０】
前記合成信号のインパルス応答の長さがＷであり、前記算定した列が前記チャネル相関行列の端から少なくともW-１列である請求項４８記載の受信機。
【請求項５１】
前記拡散データベクトルの算定が、チャネル応答行列のエルミート関数と前記受信した合成信号との積のフーリエ変換を用いる請求項４８記載の受信機。
【請求項５２】
前記拡散データベクトルの算定が、前記算定した列のフーリエ変換を用いる請求項４８記載の受信機。
【請求項５３】
前記列のフーリエ変換の算定値に、前記データ信号で伝送される拡散チップの数を乗じた請求項５２記載の受信機。
【請求項５４】
前記フーリエ変換が高速フーリエ変換である請求項４８記載の受信機。
【請求項５５】
前記拡散データベクトルの算定が高速フーリエ逆変換をさらに用いる請求項４８記載の受信機。
【請求項５６】
符号分割多元接続通信システムにおける共用の周波数スペクトラム経由で送信側から送信され各々が同様のチャネル応答を受けた複数のデータ信号を受信する際に用いる方法であって、
前記送信されたデータ信号の合成信号を前記共用の周波数スペクトラム経由で受信する過程と、
前記合成信号を前記データ信号のチップ速度の倍数の速度でサンプリングする過程と、
前記倍数の速度でサンプリングしたサンプリング出力を実効チップ速度によるサンプリング出力の形に合成する過程と、
前記合成信号に対するチャネル応答を前記チップ速度の倍数の速度で推算する過程と、
前記倍数の速度で推算したチャネル応答推算値を実効チップ速度によるチャネル応答の形に合成する過程と、
前記実効チップ速度によるサンプリング出力、前記実効チップ速度によるチャネル応答およびフーリエ変換を用いて拡散データベクトルを算定する過程と、
前記拡散データベクトルを用いて前記データ信号のデータを推算する過程と
を含む方法。
【請求項５７】
前記チップ速度の倍数の速度による前記サンプリング出力およびチャネル応答推算値を合成の前に重みづけする請求項５６記載の方法。
【請求項５８】
前記実効チップ速度によるチャネル応答が実効チャネル応答行列である請求項５６記載の方法。
【請求項５９】
前記拡散データベクトルの算定が前記実効チップ速度による応答を用いて導いたチャネル応答行列の一つの列を用いる請求項５６記載の方法。
【請求項６０】
前記列が前記チャネル応答行列の第１列である請求項５６記載の方法。
【請求項６１】
前記拡散データベクトルの算定がフーリエ逆変換をさらに用いる請求項５６記載の方法。
【請求項６２】
共用の周波数スペクトラム経由で送信側から送信され各々が同様のチャネル応答を受けた複数のデータ信号を受信する際に用いる符号分割多元接続受信機であって、
前記送信されたデータ信号の合成信号を前記共用の周波数スペクトラム経由で受信する手段と、
前記合成信号を前記データ信号のチップ速度の倍数の速度でサンプリングする手段と、
前記倍数の速度でサンプリングしたサンプリング出力を実効チップ速度によるサンプリング出力の形に合成する手段と、
前記合成信号に対するチャネル応答を前記チップ速度の倍数の速度で推算する手段と、
前記倍数の速度で推算したチャネル応答推算値を実効チップ速度によるチャネル応答の形に合成する手段と、
前記実効チップ速度によるサンプリング出力、前記実効チップ速度によるチャネル応答およびフーリエ変換を用いて拡散データベクトルを算定する手段と、
前記拡散データベクトルを用いて前記データ信号のデータを推算する手段と
を含む受信機。
【請求項６３】
前記チップ速度の倍数の速度による前記サンプリング出力およびチャネル応答推算値を合成の前に重みづけする請求項６２記載の受信機。
【請求項６４】
前記実効チップ速度によるチャネル応答が実効チャネル応答行列である請求項６２記載の受信機。
【請求項６５】
前記拡散データベクトルの算定が前記実効チップ速度による応答を用いて導いたチャネル応答行列の一つの列を用いる請求項６２記載の受信機。
【請求項６６】
前記列が前記チャネル応答行列の第１列である請求項６２記載の受信機。
【請求項６７】
前記拡散データベクトルの算定がフーリエ逆変換をさらに用いる請求項６２記載の受信機。
【請求項６８】
共用の周波数スペクトラム経由で送信側から送信され各々が同様のチャネル応答を受けた複数のデータ信号を受信する際に用いる符号分割多元接続受信機であって、
前記送信されたデータ信号の合成信号を前記共用の周波数スペクトラム経由で受信するアンテナと、
前記合成信号を前記データ信号のチップ速度の倍数の速度でサンプリングするサンプリング装置と、
前記合成信号に対するチャネル応答を前記チップ速度の倍数の速度で推算するチャネル推算装置と、
前記倍数の速度でサンプリングしたサンプリング出力を実効チップ速度によるサンプリング出力の形に合成し、前記倍数の速度で推算したチャネル応答推算値を実効チップ速度によるチャネル応答の形に合成するとともに、前記実効チップ速度によるサンプリング出力、前記実効チップ速度によるチャネル応答およびフーリエ変換を用いて拡散データベクトルを算定する単一ユーザ検出装置と
を含み、前記拡散データベクトルから前記データ信号のデータを推算する
受信機。
【請求項６９】
前記チップ速度の倍数の速度による前記サンプリング出力およびチャネル応答推算値を合成の前に重みづけする請求項６８記載の受信機。
【請求項７０】
前記実効チップ速度によるチャネル応答が実効チャネル応答行列である請求項６８記載の受信機。
【請求項７１】
前記拡散データベクトルの算定が前記実効チップ速度による応答を用いて導いたチャネル応答行列の一つの列を用いる請求項６８記載の受信機。
【請求項７２】
前記列が前記チャネル応答行列の第１列である請求項６８記載の受信機。
【請求項７３】
前記拡散データベクトルの算定がフーリエ逆変換をさらに用いる請求項６８記載の受信機。
【請求項７４】
符号分割多元接続通信システムにおける共用の周波数スペクトラム経由で送信側から送信され各々が同様のチャネル応答を受けた複数のデータ信号を受信する際に用いる方法であって、
前記送信されたデータ信号の合成信号を前記共用の周波数スペクトラム経由で受信する過程と、
前記合成信号を前記データ信号のチップ速度の倍数の速度でサンプリングする過程と、
チャネル応答を前記合成信号に対するチャネル応答行列として前記チップ速度の倍数の速度で推算する過程と、
前記チップ速度の倍数の速度に対応する大きさの拡散データベクトルの修正バージョンを、前記チャネル応答行列の一つの列、前記チャネル応答行列の推算値、前記サンプリングの出力、およびフーリエ変換を用いて算定する過程と、
前記拡散データベクトル推算値が前記チップ速度対応の大きさになるように前記修正バージョンの要素を消去することによって前記拡散データベクトルを推算する過程と
を含む方法。
【請求項７５】
前記チップ速度の倍数の速度が前記チップ速度のＮ倍の速度であり、前記拡散データベクトルの推算値が要素Ｎ個だけ離れた修正バージョンを含む請求項７４記載の方法。
【請求項７６】
前記チャネル応答行列の拡張バージョンを前記チャネル応答行列の各列についてＮ−１列を加えることによって算定する過程をさらに含む請求項７５記載の方法。
【請求項７７】
前記フーリエ変換が高速フーリエ変換である請求項７４記載の方法。
【請求項７８】
前記修正バージョンの算定が高速フーリエ逆変換をさらに用いる請求項７７記載の方法。
【請求項７９】
共用の周波数スペクトラム経由で送信側から送信され各々が同様のチャネル応答を受けた複数のデータ信号を受信する際に用いる符号分割多元接続受信機であって、
前記送信されたデータ信号の合成信号を前記共用の周波数スペクトラム経由で受信する手段と、
前記合成信号を前記データ信号のチップ速度の倍数の速度でサンプリングする手段と、
チャネル応答を前記合成信号に対するチャネル応答行列として前記チップ速度の倍数の速度で推算する手段と、
前記チップ速度の倍数の速度に対応する大きさの拡散データベクトルの修正バージョンを、前記チャネル応答行列の一つの列、前記チャネル応答行列の推算値、前記サンプリングの出力、およびフーリエ変換を用いて算定する手段と、
前記拡散データベクトル推算値が前記チップ速度対応の大きさになるように前記修正バージョンの要素を消去することによって前記拡散データベクトルを推算する手段と
を含む受信機。
【請求項８０】
前記チップ速度の倍数の速度が前記チップ速度のＮ倍の速度であり、前記拡散データベクトルの推算値が要素Ｎ個だけ離れた修正バージョンを含む請求項７９記載の受信機。
【請求項８１】
前記チャネル応答行列の拡張バージョンを前記チャネル応答行列の各列についてＮ−１列を加えることによって算定する過程をさらに含む請求項８０記載の受信機。
【請求項８２】
前記フーリエ変換が高速フーリエ変換である請求項７９記載の受信機。
【請求項８３】
前記修正バージョンの算定が高速フーリエ逆変換をさらに用いる請求項８２記載の受信機。
【請求項８４】
共用の周波数スペクトラム経由で送信側から送信され各々が同様のチャネル応答を受けた複数のデータ信号を受信する際に用いる符号分割多元接続受信機であって、
前記送信されたデータ信号の合成信号を前記共用の周波数スペクトラム経由で受信するアンテナと、
前記合成信号を前記データ信号のチップ速度の倍数の速度でサンプリングするサンプリング装置と、
チャネル応答を前記合成信号に対するチャネル応答行列として前記チップ速度の倍数の速度で推算するチャネル推算装置と、
前記チップ速度の倍数の速度に対応する大きさの拡散データベクトルの修正バージョンを、前記チャネル応答行列の一つの列、前記チャネル応答行列の推算値、前記サンプリングの出力、およびフーリエ変換を用いて算定するとともに、前記拡散データベクトル推算値が前記チップ速度対応の大きさになるように前記修正バージョンの要素を消去することによって前記拡散データベクトルを推算する単一ユーザ検出装置と
を含む受信機。
【請求項８５】
前記チップ速度の倍数の速度が前記チップ速度のＮ倍の速度であり、前記拡散データベクトルの推算値が要素Ｎ個だけ離れた修正バージョンを含む請求項８４記載の受信機。
【請求項８６】
前記チャネル応答行列の拡張バージョンを前記チャネル応答行列の各列についてＮ−１列を加えることによって算定する過程をさらに含む請求項８５記載の受信機。
【請求項８７】
前記フーリエ変換が高速フーリエ変換である請求項８４記載の受信機。
【請求項８８】
前記修正バージョンの算定が高速フーリエ逆変換をさらに用いる請求項８４記載の受信機。